(57)【要約】【課題】殻付ナッツの硬い殻を割る際に、容易に割ることが出来、中身のナッツにも損傷を与えないナッツ割り器を提供すること。【解決手段】殻付ナッツ割り器の収容部を構成する本体フレーム１の底部２に殻付ナッツを置く円形の凹部３を形成し、本体フレームの上部にねじ孔４を形成し、回転ハンドル５付きのねじ軸シャフト６をねじ孔に螺合し、ねじ軸シャフトの下端に円錐状の押圧部材７を取り付け、円形凹部の中心と、ねじ軸シャフトの中心軸と円錐状押圧部材の先端が同一直線上に配列する殻付ナッツ割り器である。【選択図】図１
0003143197.tif 000002
【実用新案登録請求の範囲】
【請求項１】
殻付ナッツ割り器の収容部を構成する本体フレームの底部に殻付ナッツを置く円形の凹部を形成し、本体フレームの上部にねじ孔を形成し、回転ハンドル付きのねじ軸シャフトを前記ねじ孔に螺合し、前記ねじ軸シャフトの下端に円錐状の押圧部材を取り付け、前記円形凹部の中心と、ねじ軸シャフトの中心軸と円錐状押圧部材の先端が同一直線状に配列することを特徴とする殻付ナッツ割り器。
【請求項２】
円錐状の押圧部材と同一中心軸を有する環状の押圧部材を円錐状押圧部材の外周に取り付け、環状押圧部材の最下端面が円錐状押圧部材の先端より上方に位置することを特徴とする請求項１に記載の殻付ナッツ割り器。
【請求項３】
円錐状の押圧部材が金属で形成されたことを特徴とする請求項１又は請求項２に記載の殻付ナッツ割り器。
【請求項４】
環状の押圧部材が金属で形成されたことを特徴とする請求項１乃至請求項３に記載の殻付ナッツ割り器。
【請求項５】
本体フレーム、回転ハンドル及び、ねじ軸シャフトが金属で形成されたことを特徴とする請求項１乃至請求項４に記載の殻付ナッツ割り器。  
【請求項６】
本体フレーム、回転ハンドル及び、ねじ軸シャフトがプラスチックで形成されたことを特徴とする請求項１乃至請求項４に記載の殻付ナッツ割り器。
【考案の詳細な説明】
【技術分野】
【０００１】
本考案は殻付ナッツの硬い殻を割るために使用される手動の小型ナッツ殻割り器に関する。
【背景技術】
【０００２】
ナッツの殻は非常に硬いため、手動式の殻割り器は通常大型で重量のあるものであった。小型で軽量なものとして例えば特許3683241号公報に示されるものがある。これはプラスチック製のナッツ収納用ケースとケース内に収められたプラスチック製のねじ軸と、ナッツ収納用ケースの開口部を閉じるための蓋体とを備え、収納されたナッツの殻を押圧して割るための金属製の押圧部材を取り付け、ケース底部にはナッツ挿入方向に左右に一対の凸部を形成したナッツの殻割り器である。
【０００３】
【特許文献１】特許3683241号公報
【考案の開示】
【考案が解決しようとする課題】
【０００４】
前記の小型で手動のナッツ殻割り器で殻付ナッツを割る際に、殻が極めて強固な硬いものであるため、殻割りの動作に沿ってプラスチック製のハンドルとねじ軸と収納用ケースに極めて強大な応力がかかり、しばしばハンドル、ねじ軸またはケースに亀裂や割れなどの損傷が生起することがある。また従来の金属製の押圧部材はナッツ殻に平面で接するため、押圧の応力が一点に集中せずにナッツ上面に偏在するため、ナッツ殻の割れ方は不規則であり、しかもナッツ全体を押しつぶすような応力が必要である。従って極めて過大な力でハンドルを回す必要があり、しかも殻が割れる際の衝撃で、割れた殻の破片が飛散することが多い。そのために割り器に飛散対策の開閉蓋などを取り付ける必要があった。さらに殻を割る際の衝撃で中身のナッツにも損傷を与えるため、所謂キズのないホールナッツのような高級品質のナッツを得ることが難しかった。従って従来公知の手動で小型のナッツ割り器には改善の必要性があった。
【課題を解決するための手段】
【０００５】
本考案は、殻付ナッツ割り器の収容部を構成する本体フレームの底部に殻付ナッツを置く円形の凹部を形成し、本体フレームの上部にねじ孔を形成し、回転ハンドル付きのねじ軸シャフトをねじ孔に螺合し、ねじ軸シャフトの下端に円錐状の押圧部材を取り付け、円形凹部の中心と、ねじ軸シャフトの中心軸と円錐状押圧部材の先端が同一直線状に配列する殻付ナッツ割り器である。
【０００６】
円錐状の押圧部材と同一中心軸を有する環状の押圧部材を円錐状押圧部材の外周に取り付け、環状押圧部材の最下端面が円錐状押圧部材の先端より上方に位置する殻付ナッツ割り器である。
【０００７】
円錐状の押圧部材が金属で形成された殻付ナッツ割り器である。
【０００８】
環状の押圧部材が金属で形成された殻付ナッツ割り器である。
【０００９】
本体フレーム及び、回転ハンドル及び、ねじ軸シャフトが金属で形成された殻付ナッツ割り器である。
【００１０】
本体フレーム及び、回転ハンドル及び、ねじ軸シャフトがプラスチックで形成された殻付ナッツ割り器である。
【考案の効果】
【００１１】
請求項１の考案によれば、殻付ナッツはその球体中心軸を本体フレーム底部の円形凹部の中心と円錐状押圧部材の先端とねじ軸中心線に合致して置かれる。従って押圧部材の円錐先端は正確に殻付ナッツの頂点に接して、割り器ハンドルの回転により、下向き鉛直の応力をナッツの頂点からその中心軸に向けて集中的に作用させる。その結果、ナッツの強固な殻は頂点からナッツ球体の経線に向かう亀裂によって容易に分割される。従って殻を割るために回転ハンドルに与える力は従来の割り器に比べて、著しく軽減され、従来のプラスチック製割り器で生起していた器材の損傷の問題も改善することができる。また殻分割の際の衝撃が軽減するため、中身ナッツへの損傷が極めて少なく、所謂ホールナッツとして高級グレード品質のナッツが得られる。このような高級グレードのナッツは従来の手動割り器では極めて困難であり、本考案により従来の問題点が著しく改善される。とくにマカダミアナッツのように極めて硬い殻付ナッツにおいて効果的である。
【００１２】
請求項２の考案によれば、円錐状押圧部材の外周に同一中心軸を有する環状押圧部材を取り付け、この環状押圧部材の最下面が円錐状押圧部材の先端より上方に位置することによって、殻付ナッツは先ず円錐状押圧部材によってその球体頂点から経線の方向に亀裂と分割を生起し、次いで割り器ハンドルの回転により環状押圧部材が下降し殻の分割を確実に完了することができる。この円錐状押圧部材の作用に付随する環状押圧部材の２段階の押圧作用によって非常に強固な殻付ナッツは、亀裂から分割までを滑らかに且つ割りミスなく殻割りすることが出来る。またこのような２段階の押圧作用により必要最小限の応力で殻を割るので中身のナッツへの衝撃を最小限に抑えることが可能となり、損傷のない高級グレードの中身のナッツを確実に得ることが出来る。とくにマカダミアナッツのように極めて硬い殻付ナッツにおいて効果的である。
【００１３】
請求項３の考案によれば、円錐状の押圧部材を金属で形成することによって、円錐の先端はナッツの殻に対して極めて鋭利で強靭な削孔作用と分割作用を及ぼすことができるのでより一層容易で且つ確実な殻割りをすることが出来る。金属製の部材はナッツ殻に比較して充分上回る強度を有しているため割り器の性能の劣化もほとんど無く経済的である。
【００１４】
請求項４の考案によれば、環状の押圧部材を金属で形成することによって、環状押圧部材はナッツの殻に対して、充分大きい硬度を以って押圧することが出来るのでより一層容易で且つ確実な殻割りをすることが出来る。金属製の部材はナッツ殻に比較して充分上回る強度を有しているため割り器の性能の劣化もほとんど無く経済的である。
【００１５】
請求項５の考案によれば、本体フレーム、回転ハンドル及び、ねじ軸シャフトを金属で形成することが出来る。金属で形成したナッツ殻割り器は、非常に機械特性が高く頑丈であるため小型化することが出来る。故障が少なく、長時間の耐用性があるため個人用だけでなく業務用にも有効な高級品とすることが出来る。とりわけマカダミアナッツのように極めて硬い殻付ナッツの殻割り器として効果的である。
【００１６】
請求項６の考案によれば、本体フレーム、回転ハンドル及び、ねじ軸シャフトをプラスチックで形成することができる。本考案での押圧部材の効果によりプラスチック製の殻割り器の破損の問題が解消されたため、熱可塑性樹脂による多様な形状が可能となり、とりわけ軽量で取り扱い易く経済的なナッツ殻割り器を実用化することが出来る。この割り器もとくにマカダミアナッツ割り器として効果的である。
【考案を実施するための最良の形態】
【００１７】
図１乃至図３に本考案を実施する殻付ナッツの殻割り器を示す。この殻割り器では、殻付ナッツ９を収容する金属製の本体フレーム１と、本体フレーム底部２にナッツを置く逆円錐台状の凹部３と、フレーム上部に形成したねじ孔４に螺合した金属製のねじ軸シャフト６と、金属性の回転ハンドル５と、ねじ軸シャフトの下端に金属製の円錐状押圧部材７と同一中心軸の環状押圧部材８を取り付けている。
【００１８】
なお前記の金属製の本体フレーム１や回転ハンドル５及び、ねじ軸シャフト６はプラスチック材料を用いてもよい。とくに機械特性の良好な熱可塑性樹脂は軽量な材料として好ましく、様々なデザインの割り器を成型することが容易である。
【００１９】
図１乃至図３において、殻付ナッツ９は逆円錐台状凹部３に置かれる。図３において、ハンドル５及びねじ軸６の回転、下降により円錐状押圧部材７の先端が殻付ナッツ９の頂点に接し、更に下降することで殻の頂点から亀裂を生起し、殻を分割する状態を示す。更に押圧部材の下降により環状押圧部材８が殻に作用し分割が完了する。
【００２０】
なお本考案はナッツのなかでも特別に殻の硬い殻付マカダミアナッツにおいて、その効果を顕著に発揮することができる。本考案の割り器によって殻付マカダミアナッツを容易に割り、且つその中身であるカーネルを傷つけたり、壊すことなく良好な状態で取り出すことが可能である。
【００２１】
本実施例の図４乃至図６においては環状押圧部材８が水平な押圧面を形成する。別の実施例の図７乃至図９においては環状押圧部材８が円錐台斜面状の押圧面を形成する。これらの環状押圧面によってナッツ殻の完全な分割が出来る。
【図面の簡単な説明】
【００２２】
【図１】ナッツ殻割り器の正面図である。
【図２】ナッツ殻割り器の側面図である。
【図３】ナッツ殻割り器に収容された殻付きナッツの頂点に割り器の円錐状押圧部の先端が接する状態を示す正面図である。
【図４】図１〜図３における押圧部材の拡大正面図である。
【図５】図４におけるI−I線断面図である。
【図６】図４下面図である。
【図７】図１〜図３における押圧部材の拡大正面図である。
【図８】図７におけるII−II線断面図である。
【図９】図７下面図である。
【符号の説明】
【００２３】
１  本体フレーム
２  本体フレーム底部
３  円形凹部
４  ねじ孔
５  回転ハンドル
６  ねじ軸
７  円錐状押圧部材
８  環状押圧部材
９  殻付ナッツ
【図１】
0003143197.tif 000003
【図２】
0003143197.tif 000004
【図３】
0003143197.tif 000005
【図４】
0003143197.tif 000006
【図５】
0003143197.tif 000007
【図６】
0003143197.tif 000008
【図７】
0003143197.tif 000009
【図８】
0003143197.tif 000010
【図９】
0003143197.tif 000011